(57)【要約】  本発明は、衝撃時であっても、アームによってヒゲゼンマイの間隔を確保するレギュレータキーに関する。【選択図】  図３
2019525165.tif 000002
【特許請求の範囲】
【請求項１】
計時器ムーブメント（１）用のレギュレータキー（１１）であって、レギュレータ（９）に取り付けられるように構成される底面（１５）を備え、ヒゲゼンマイ（４）の間隔を制限するように構成される２つのアーム（１７ａ、１７ｂ）を有し、前記２つのアーム（１７ａ、１７ｂ）は前記底面（１５）から互いに平行に突出し、前記ヒゲゼンマイを受容するように構成される隙間（１６）を残し、前記２つのアーム（１７ａ、１７ｂ）はそれぞれ突出面を含み、前記突出面は、前記レギュレータキー（１１）の端部の寸法を制限するために前記底面（１５）から離れるにつれて減少することを特徴とし、前記２つのアーム（１７ａ、１７ｂ）はそれぞれ部分的に中空の中心部分（１８ａ、１８ｂ）を含み、それによって各アームの前記自由端部はフック（１９ａ、１９ｂ）を形成し、前記フック（１９ａ、１９ｂ）は前記隙間の長手方向に主に平行に延在し、前記ヒゲゼンマイを受容するように構成される前記隙間に沿って延在することを特徴とする、レギュレータキー（１１）。
【請求項２】
請求項１に記載のレギュレータキー（１１）であって、前記２つのフックは反対方向に延在することを特徴とする、レギュレータキー（１１）。
【請求項３】
請求項１または請求項２に記載のレギュレータキー（１１）であって、前記レギュレータキー（１１）は、前記底面（１５）の中心を通る対称軸（Ｓ）を有することを特徴とする、レギュレータキー（１１）。
【請求項４】
請求項１〜請求項３のいずれかに記載のレギュレータキー（１１）であって、前記隙間に沿って延在する前記２つのアーム（１７ａ、１７ｂ）の前記側面（Ｆａ、Ｆｂ）は実質的にＣ字型であることを特徴とする、レギュレータキー（１１）。
【請求項５】
請求項１〜請求項４のいずれかに記載のレギュレータキー（１１）であって、前記隙間に沿って延在する前記２つのアーム（１７ａ、１７ｂ）の前記側面（Ｆａ、Ｆｂ）は平面であることを特徴とする、レギュレータキー（１１）。
【請求項６】
請求項１〜請求項５のいずれかに記載のレギュレータキー（１１）であって、前記隙間に沿って延在する前記２つのアーム（１７ａ、１７ｂ）の前記側面（Ｆａ、Ｆｂ）は平行であることを特徴とする、レギュレータキー（１１）。
【請求項７】
請求項１〜請求項６のいずれかに記載のレギュレータキー（１１）であって、前記隙間に沿って延在する前記２つのアーム（１７ａ、１７ｂ）の前記側面（Ｆａ、Ｆｂ）の表面は、互いに対向し、実質的にＩ字型であることを特徴とする、レギュレータキー（１１）。
【請求項８】
テンプ（６）とヒゲゼンマイ（４）とを有する共振器（５）と、前記ヒゲゼンマイ（４）の有効長を調整するためのレギュレータシステム（３）とを備える計時器ムーブメント（１）であって、前記レギュレータシステム（３）は請求項１〜請求項７のいずれかに記載のレギュレータキー（１１）を含むことを特徴とする、計時器ムーブメント（１）。
【発明の詳細な説明】
【技術分野】
【０００１】
本発明は、衝撃時であっても、ヒゲゼンマイの間隔を確保するためのレギュレータキーに関する。
【背景技術】
【０００２】
レギュレータシステムにおいて、２つのピンまたは１つのレギュレータキーを備えるレギュレータを用いて、ヒゲゼンマイの有効長を調整することは既知である。さらに、これらのシステムは耐衝撃装置を備えることもある。耐衝撃装置は、ムーブメントが衝撃を受けるとき、ヒゲゼンマイがピンの間の隙間から、またはレギュレータキーから逸脱することを防ぐ。
【０００３】
ただし、耐衝撃装置を備える現在のレギュレータシステムは扱いにくく、および／または販売後の調整、たとえば、ヒゲゼンマイの交換ができない。
【発明の概要】
【０００４】
本発明の目的は、新規のレギュレータキーを提示することによって、前述の欠点のすべてまたは一部を克服することである。新規のレギュレータキーのアームは、衝撃時においてもヒゲゼンマイの間隔を確保しながら、小型なサイズを維持する。
【０００５】
そのために、本発明は計時器ムーブメントのためのレギュレータキーに関する。レギュレータキーは、レギュレータに取り付けられるように構成される底面を含み、ヒゲゼンマイの間隔を制限するように構成される２つのアームを有する。２つのアームは底面から互いに平行に突出し、ヒゲゼンマイを受容するように構成される隙間を残すことを特徴とする。また、２つのアームはそれぞれ突出面を含み、突出面はレギュレータキーの端部の寸法を制限するために、底面から離れるにつれて減少することを特徴とする。アームはそれぞれ部分的に中空の中心部分を含み、それによって、各アームの自由端部は、ヒゲゼンマイを受容するように構成される前記隙間に沿って延在するフックを形成することを特徴とする。
【０００６】
本発明の別の有利な変形によれば、
−レギュレータキーは底面の中心を通る対称軸を有し、
−隙間に沿って延在するアームの側面は実質的にＣ字型であり、
−隙間に沿って延在するアームの側面は平面であり、
−隙間に沿って延在するアームの側面は平行であり、
−隙間に沿って延在するアームの側面の表面は互いに対向し、実質的にＩ字型である。
【０００７】
さらに、本発明は、バネ式テンプ共振器と、ヒゲゼンマイの有効長を調整するためのレギュレータシステムとを備える計時器ムーブメントに関する。レギュレータシステムは、請求項１〜請求項７のいずれかに記載のレギュレータキーを含むことを特徴とする。
【０００８】
別の特徴および有利点は、非限定例として提示される以下の説明から、添付図を参照して明らかになるであろう。
【図面の簡単な説明】
【０００９】
【図１】本発明によるムーブメントの部分斜視図である。
【図２】図１の断面図である。
【図３】本発明のレギュレータキーの斜視図である。
【図４】図３の上面図である。
【図５】図４のＡ−Ａに沿った断面図である。
【図６】図４のＢ−Ｂに沿った断面図である。
【発明を実施するための形態】
【００１０】
図１および２に例示するように、本発明は、計時器ムーブメント１のためのレギュレータシステム３に関する。図１および２では、計時器ムーブメント１はさらに、コック８とプレート（不図示）との間を枢動するテン真７に取り付けられる種類のテンプ８／ヒゲゼンマイ４の共振器５を含む。
【００１１】
レギュレータシステム３は、ヒゲゼンマイ４の有効長を調整することを目的とする。レギュレータシステム３は主に、レギュレータ９と、レギュレータキー１１とを備える。レギュレータ９は、中心部分でコック８に取り付けられ、レギュレータキー１１を２つのストリップ１０ａ、１０ｂを介して支持する。図２からより詳しく分かるように、２つのストリップ１０ａ、１０ｂは、レギュレータキー９を頭部１３と底面１５との間で固定するために用いられる。
【００１２】
したがって、コック８上でレギュレータ９を回転させることによって、レギュレータ９に取り付けられた底面１５は、ヒゲゼンマイ４の外側のコイル２の長さに対するレギュレータキー１１の相対位置を調整することが可能となり、また、レギュレータキー１１をストリップ１０ａと１０ｂの間で回転させることによって、レギュレータキー１１のアーム１７ａと１７ｂとの間のヒゲゼンマイ４の外側のコイル２の間隔を調整することが可能となることは明らかである。
【００１３】
図３から６に例示するように、２つのアーム１７ａ、１７ｂは、図２に示すように、互いに平行に底面１５から突出し、ヒゲゼンマイ４を受容するような隙間１６を有する。さらに、２つのアーム１７ａ、１７ｂはそれぞれ突出面を含む。突出面は、レギュレータキー１１の端部の寸法を制限するために、底面１５から離れるにつれて減少する。図３からはっきり分かるように、２つのアーム１７ａ、１７ｂが接合すると、円錐台に類似する外面を形成しえる。図２を検証すると、アーム１７ａ、１７ｂはこの形状によってコンパクトな大きさとなり、たとえば、慣性ブロック１２においてテンプ６の空間的な自由度が高くなることが分かる。
【００１４】
さらに、アーム１７ａ、１７ｂはそれぞれ部分的に中空の中心部分１８ａ、１８ｂを含み、それによって、各アームの自由端部は、隙間１６に沿って延在し、つまり隙間１６内に突出しないフック１９ａ、１９ｂを形成する。
【００１５】
図３から６を検証すると、レギュレータキー１１は、底面１５の中心を通る対称軸Ｓを有することが分かる。この特徴は、レギュレータキー１１の組み立て方向が２つのアーム１０ａ、１０ｂの間となることを避けるために特に望ましい。
【００１６】
さらに、この対称性によって、隙間１６に沿って延在するアーム１７ａ、１７ｂの側面Ｆａ、Ｆｂに特有の特徴が得られる。このように、図６から分かるように、アーム１７ａの側面Ｆａは実質的にＣ字型または逆Ｃ字型である。その結果として、本発明によって有利には、ヒゲゼンマイ４の外側のコイル２は、隙間１６に受容可能なだけではなく、アーム１７ａ、１７ｂの部分的に中空の中心部分１８ａ、１８ｂに受容可能である。したがって、レギュレータキー１１のアーム１７ａ、１７ｂの間のヒゲゼンマイ４の外側のコイル２の間隔は、隙間１６に沿って延在するアーム１７ａ、１７ｂの側面Ｆａ、ＦｂのＣ字型または逆Ｃ字型の垂直部分の傾斜部分によって得られることは明らかである。
【００１７】
さらに、隙間１６に沿って延在するアーム１７ａ、１７ｂの側面Ｆａ、Ｆｂは、好ましくは平面かつ平行である。最終的に、図６の灰色部分によって、隙間１６に沿って延在するアーム１７ａ、１７ｂの側面Ｆａ、Ｆｂの対面する表面Ｖが実質的にＩ字型であることに留意されたい。
【００１８】
本発明によって有利には、コック８上でレギュレータ９を回転させることで、これらの特徴によって、レギュレータキー１１の相対位置をヒゲゼンマイ４の外側のコイル２の長さに対して調整することが可能になり、また、レギュレータキー１１をストリップ１０ａと１０ｂとの間で回転させることによって、レギュレータキー１１のアーム１７ａと１７ｂとの間のヒゲゼンマイ４の外側のコイル２の間隔を調整することが可能となる。
【００１９】
図１から分かるように、レギュレータキー１１がストリップ１０ａ、１０ｂに対して回転しているときは、ヒゲゼンマイ４の外側のコイル２は、隙間１６とアーム１７ａ、１７ｂの部分的に中空の中心部分１８ａ、１８ｂ内部に閉じ込められている。実際に、ヒゲゼンマイ４の外側のコイル２の屈曲部が、アーム１７ａ、１７ｂの部分的に中空の中心部分１８ａ、１８ｂ内に延在すると、フック１９ａ、１９ｂは、ムーブメントが衝撃を受けるときであっても、ヒゲゼンマイ４がレギュレータキー１１の隙間１６から逸脱することを防止する。
【００２０】
ただし、たとえば販売後の調整のためにヒゲゼンマイ４をレギュレータキー１１から再度解除することも可能である。アーム１７ａ、１７ｂの側面Ｆａ、Ｆｂがヒゲゼンマイ４の外側のコイル２の高さに対して平行になるようにレギュレータキー１１を回転させ、次にヒゲゼンマイ４を隙間１６に沿って取り除けば十分である、
【００２１】
もちろん、本発明は例示した例に限定されず、当業者には明らかであろう様々な変形および修正が可能である。具体的には、別の種類のヒゲゼンマイおよび／または別の種類のテンプおよび／または別の種類のレギュレータおよび／または別の種類のコックに適応するために、レギュレータキー１１は異なる形状であってもよい。
【００２２】
たとえば、異なるヒゲゼンマイの厚さに応じて、アーム１７ａ、１７ｂの側面Ｆａ、Ｆｂ間の距離が、より長いこと、またはより短いことが望ましくてもよく、もしくは、異なるレギュレータと異なるヒゲゼンマイとの間の距離に応じて、アーム１７ａ、１７ｂの長さが、より長いこと、またはより短いことが望ましくてもよいことは明らかである。
【図１】
2019525165.tif 000003
【図２】
2019525165.tif 000004
【図３】
2019525165.tif 000005
【図４】
2019525165.tif 000006
【図５】
2019525165.tif 000007
【図６】
2019525165.tif 000008
【国際調査報告】
2019525165.tif 000009
2019525165.tif 000010
2019525165.tif 000011
2019525165.tif 000012